(57)【要約】【課題】換気用部材の変形を抑制することにより、建具により仕切られた空間の換気を安定して行うことができる換気構造を提供する。【解決手段】建具１で仕切られた空間を換気する換気構造１０であって、建具１には、換気用の貫通部２０が形成されており、貫通部２０を形成する側壁部のうち対向する一対の側壁部において、一方の側壁部２０ａに沿って支持されかつ一方の側壁部２０ａから他方の側壁部２０ｂに向かって突出した第１の羽板部１３ａを有した第１の換気用部材１１Ａと、第１の羽板部１３ａとの間に換気用通路３０が形成されるように、他方の側壁部２０ａに沿って支持されかつ他方の側壁部２０ｂから一方の側壁部２０ａに向かって突出した第２の羽板部１３ｂを有した第２の換気用部材１１Ｂと、が取り付けられている。【選択図】図３
2014231709.tif 000002
【特許請求の範囲】
【請求項１】
建具で仕切られた空間を換気する換気構造であって、
前記建具には、換気用の貫通部が形成されており、
前記貫通部を形成する側壁部のうち対向する一対の側壁部において、一方の側壁部に沿って支持されかつ該一方の側壁部から他方の側壁部に向かって突出した第１の羽板部を有した第１の換気用部材と、該第１の羽板部との間に換気用通路が形成されるように、前記他方の側壁部に沿って支持されかつ該他方の側壁部から前記一方の側壁部に向かって突出した第２の羽板部を有した第２の換気用部材と、が取り付けられていることを特徴とする換気構造。
【請求項２】
前記第１の羽板部および前記第２の羽板部は、前記貫通部の開口に対して傾斜していることを特徴とする請求項１に記載の換気構造。
【請求項３】
前記第１の羽板部および前記第２の羽板部は、前記貫通部の開口から流入した空気が、前記第１の羽板部および前記第２の羽板部の先端部と前記貫通部の側壁部との間に案内されるように、傾斜していることを特徴とする請求項２に記載の換気構造。
【請求項４】
前記第１および第２の換気用部材には、前記貫通部の開口縁から前記側壁部に沿って形成された基部と、前記開口縁から前記建具の表面に沿って形成された縁部とが形成されており、
前記第１の羽板部および前記第２の羽板部は、前記基部と前記縁部が形成された境界部からから延在していることを特徴とする請求項１〜３のいずれかに記載の換気構造。
【請求項５】
前記第１および第２の換気用部材は、光透過性を有する材料からなることを特徴とする請求項１〜４のいずれかに記載の換気構造。
【請求項６】
前記第１および第２の換気用部材と前記側壁部との間には、前記側壁部の表面を覆うようにＪＩＳ慣用色で規定されるラベンダー、モーブ、ライラック、オーキッド、またはこれらの順の各慣用色同士の中間色、もしくは、ホワイト、スノーホワイト、アイボリー、スカイグレイ、パールグレイ、シルバーグレイ、アッシュグレイまたはこれらの順の各慣用色同士の中間色からなる被覆材が配置されていることを特徴とする請求項５に記載の換気構造。
【請求項７】
前記第１の羽板部の先端部と前記他方の側壁部との距離は、前記第１の羽板部と前記第２の羽板部とが対向する面同士の距離よりも小さく、
前記第２の羽板部の先端部と前記一方の側壁部との距離は、前記第１の羽板部と前記第２の羽板部とが対向する面同士の距離よりも小さいことを特徴とする請求項１〜６のいずれかに記載の換気構造。
【請求項８】
前記第１および第２の換気用部材は、同一形状であることを特徴とする請求項１〜７のいずれかに記載の換気構造。
【請求項９】
前記貫通部は、前記建具の上下方向に沿って形成されていることを特徴とする請求項１〜８のいずれかに記載の換気構造。
【発明の詳細な説明】
【技術分野】
【０００１】
本発明は、建具で仕切られた空間を換気するに好適な換気構造に関する。
【背景技術】
【０００２】
従来から、建物内のドア、引戸、間仕切りなどの建具によって仕切られた空間を、換気するために、建具にルーバー、ガラリなどの換気構造が設けられている。このような換気構造として、建具に設けられた貫通部に換気用通路が形成できるように、複数の平板状の羽板材（換気用部材）が上下方向に所定間隔を置いて交互に逆傾斜面を有する如く、羽板材の両端部が建具の対向する一対の側壁部に固設された換気構造が提案されている（たとえば、特許文献１参照）。
【０００３】
また、別の換気構造として、建具の矩形状の貫通部に縦型のガラリ（換気用部材）が配置されており、この縦型ガラリ（換気用部材）は、結合部材を介して、その両端部が開口部の上下側壁部に固定されている。さらに、対向する左右側壁部には、折り曲げ端面を有した一対の表面材が配置されており、この一対表面材と縦型ガラリとの間に換気用通路が形成されている（たとえば、特許文献２参照）。このような換気構造に形成された換気用通路により、建具で仕切られた空間の空気を相互に換気することができる。
【先行技術文献】
【特許文献】
【０００４】
【特許文献１】特願２００１−２１８２６７号公報
【特許文献２】実公平７−５０５４３号公報
【発明の概要】
【発明が解決しようとする課題】
【０００５】
しかしながら、特許文献１および２に記載の換気用部材は、その両端部のみ建具の貫通部を形成する対向した一対の側壁部に支持され、換気用部材の中央部を含む側部は建具に直接的に支持されていない。これにより、たとえば換気用部材の中央部に外力が作用した場合には、その中央部で換気用部材が変形したり、破損したりすることもあった。また、換気用部材が高温環境に晒された場合も同様に、換気用部材がその両端部のみで支持（拘束）されているため、その中央部は変形しやすくなる。特に、より広い流路断面を確保しようとした場合には、換気用部材の長さをより長くすることになるが、このような場合には、上述した現象はより顕著なものとなる。このような結果、換気用部材の変形等により、換気構造は製造当初に想定していた換気機能を確保することができないおそれがある。
【０００６】
本発明は、このような点を鑑みてなされたものであり、その目的とするところは、換気用部材の変形を抑制することにより、建具により仕切られた空間の換気を安定して行うことができる換気構造を提供することにある。
【課題を解決するための手段】
【０００７】
前記課題を鑑みて、発明者らが鋭意検討を重ねた結果、本発明に係る換気構造は、建具で仕切られた空間を換気する換気構造であって、前記建具には、換気用の貫通部が形成されており、前記貫通部を形成する側壁部のうち対向する一対の側壁部において、一方の側壁部に沿って支持されかつ該一方の側壁部から他方の側壁部に向かって突出した第１の羽板部を有した第１の換気用部材と、該第１の羽板部との間に換気用通路が形成されるように、前記他方の側壁部に沿って支持されかつ該他方の側壁部から前記一方の側壁部に向かって突出した第２の羽板部を有した第２の換気用部材と、が取り付けられていることを特徴とする。
【０００８】
本発明によれば、貫通部に配置された第１および第２の換気用部材により、換気用通路が形成されるので、建具により仕切られた空間を換気することができる。具体的には、建具で仕切られた一方の空間の空気を、貫通部の一方の空間に面した開口から流入させ、第１および第２の換気用部材との間に形成された換気用通路を通過させ、貫通部の他方の空間に面した開口から流出させることができる。
【０００９】
また、第１および第２の換気用部材のそれぞれに形成された第１および第２の羽板部は、貫通部を形成する側壁部に沿って支持（拘束）されているので、たとえ第１および第２の羽板部の中央に外部から荷重が作用しても、これらの羽板部の変形を抑制することができる。さらに、第１および第２の換気用部材が温度変化により長手方向（側壁部が形成された方向）に沿って膨張したとしても、第１および第２の羽板部は上述したごとく支持（拘束）されているので、このような場合であっても、これらの羽板部の変形を抑制することができる。このような結果、換気用部材の変形を抑制することにより、建具により仕切られた空間の換気を安定して行うことができる。
【００１０】
さらに、第１および第２の換気用部材の２つの部材のみで換気用通路を形成するので、上述したごとくその構造は単純なものとなり、たとえ換気用通路に流入した塵や埃などが、第１および第２の換気用部材に付着しても、貫通部の開口から第１および第２の羽板部の長手方向に沿って、清掃用ブラシまたは掃除機のノズルなどを移動させれば、付着した塵や埃などを容易に拭き取る（取り除く）ことができる。
【００１１】
ここで、上述した第１および第２の羽板部の形状およびこれらの側壁部（開口）に対する傾斜角度は、上述した換気機能および支持構造を確保することができるのであれば、特に限定されることはないが、より好ましい態様としては、前記第１の羽板部および前記第２の羽板部は、前記貫通部の開口に対して傾斜している。
【００１２】
この態様によれば、第１および第２の羽板部が、貫通部の開口に対して傾斜しているので、貫通部の一方の空間に面した開口から流入した空気を貫通部の内部に案内しやすく、さらに案内された空気を他方の開口から容易に流出することができる。
【００１３】
このような態様の中でもさらに好ましい態様としては、前記第１の羽板部および前記第２の羽板部は、前記貫通部の開口から流入した空気が、前記第１の羽板部および前記第２の羽板部の先端部と前記貫通部の側壁部との間に案内されるように、傾斜している。
【００１４】
この態様によれば、開口から流入した空気は、前記第１の羽板部および第２の羽板部の表面に沿って流れ、その先端部と貫通部の側壁部との間に案内されるので、貫通部の開口近傍に流入した空気が滞留することなく、第１および第２の羽板部の間に形成された換気用通路に導かれる。さらに、塵や埃などが混在した空気が、貫通部の開口から流入したとしても、開口近傍に滞留することがないので、流入した塵および埃が開口近傍の第１および第２の換気用部材の表面に付着することを抑制することができる。これにより、第１および第２の換気用部材の清掃を軽減することができ、建具の美観も維持することができる。
【００１５】
また、第１および第２の換気用部材を上述した第１及び第２の羽板部の配置関係を維持しつつ建具の貫通部に取り付けることができるのであれば、その構造は特に限定されるものではない。しかしながら、より好ましい態様としては、前記第１および第２の換気用部材には、前記貫通部の開口縁から前記側壁部に沿って形成された基部と、前記開口縁から前記建具の表面に沿って形成された縁部とが形成されており、前記第１の羽板部および前記第２の羽板部は、前記基部と前記縁部が形成された境界部からから延在している。
【００１６】
この態様によれば、縁部が開口縁から前記建具の表面に沿って形成されているので、この縁部は、第１および第２の換気用部材を貫通部に取り付ける際の位置決め用の部分として機能する。さらに、第１の羽板部および第２の羽板部は、前記基部と前記縁部が形成された境界部からから延在しているので、第１および第２の羽板部に外力が作用したとしても、この外力により羽板部に作用するモーメントを、建具の表面に沿って形成された縁部が受けることができる。これにより、上述した外力に対して、縁部が第１及び第２の換気用部材の補強部分として機能することができる。
【００１７】
より好ましい態様としては、前記第１および第２の換気用部材は、光透過性を有する材料からなる。この態様によれば、建具で仕切られた一方の空間から貫通部の開口に入射された光が、第１および第２の換気用部材を透過して、この透過した光を建具で仕切られた他方の空間で彩光することができる。これにより、建具に彩光用の窓を別途設けること必要がなく、換気機能と彩光機能の双方を両立させることができる。これにより、従来のベンチレータ、ガラリ、ルーバーといった換気用部材のイメージを全く与えないシンプルなデザインとなる。
【００１８】
このように第１および第２の換気用部材の材料に光透過性を有する材料を適用した場合のより好ましい態様としては、前記第１および第２の換気用部材と前記側壁部との間には、前記側壁部の表面を覆うようにＪＩＳ慣用色で規定されるラベンダー、モーブ、ライラック、オーキッド、またはこれらの順の各慣用色同士の中間色、もしくは、ホワイト、スノーホワイト、アイボリー、スカイグレイ、パールグレイ、シルバーグレイ、アッシュグレイまたはこれらの順の各慣用色同士の中間色からなる被覆材が配置されている。
【００１９】
この態様によれば、第１および第２の換気用部材が光透過性を有する材料となるため、建具の貫通部の側壁部の表面が第１または第２の換気用部材を介して目視することができるので、上述した色を採用することにより、貫通部の側壁部を目立たなくすることができる。これにより、換気構造の美観を高めることができる。
【００２０】
より好ましい態様としては、前記第１の羽板部の先端部と前記他方の側壁部との距離は、前記第１の羽板部と前記第２の羽板部とが対向する面同士の距離よりも小さく、前記第２の羽板部の先端部と前記一方の側壁部との距離は、前記第１の羽板部と前記第２の羽板部とが対向する面同士の距離よりも小さい。
【００２１】
この態様によれば、このような距離関係を満たすように、第１および第２の羽板部を設けたので、建具で仕切られた一方の空間の空気が流れる換気用通路は、貫通部の一方の空間に面した開口から空気を流入させ、第１の羽板部の先端部と前記他方の側壁部との間または第２の羽板部の先端部と前記一方の側壁部との間で絞られ、その後、前記第１の羽板部と前記第２の羽板部との間で広がる（開放される）。これにより、第１および第２の羽板部との間で形成された換気用通路（具体的には第１または第２の羽板部の基端部近傍）に塵またはゴミを捕獲しやすくなる。特に、第１または第２の羽板部の基端部近傍に捕獲（付着）した塵またはゴミは、上述した如く、貫通部の開口から第１および第２の羽板部の長手方向に沿って、清掃用ブラシまたは掃除機のノズルなどを移動させれば、容易に拭き取ることができる。
【００２２】
また、第１および第２の換気用部材の形状は、上述した効果を期待することができるのであれば、異なる形状であってもよいが、より好ましい態様としては、前記第１および第２の換気用部材は、同一形状である。
【００２３】
この態様によれば、第１および第２の換気用部材を同じ形状とするので、安価に換気構造を製造することができる。また、これらに形成された羽板部を対向させるように、一方の換気用部材に対して他方の換気用部材を反転させることにより、建具の貫通口に容易に取り付けることができる。
【００２４】
また、建具に形成された貫通部は、上下方向、水平方向などどのような方向に形成されてもよいが、より好ましい態様としては、前記貫通部は、前記建具の上下方向に沿って形成されている。この態様によれば、建具の上下方向に沿って貫通部を形成することにより、１つの貫通部でより広い換気領域を確保することができる。さらに、第１および第２の換気用通路が光透過性を有した材料からなる場合には、建具で仕切られた一方の空間の表面の位置が上下方向に変化したとしても、建具で仕切られた他方の空間で彩光可能である。さらに、一方の空間に人が居たとしても、その身長に拘らず、他方の空間において認識することも可能となる。
【発明の効果】
【００２５】
本発明によれば、換気用部材の変形を抑制することにより、建具により仕切られた空間の換気を安定して行うことができる。
【図面の簡単な説明】
【００２６】
【図１】本発明の実施形態に係る換気構造を説明するための図であり、（ａ）は、一方から見た建具の模式的斜視図であり、（ｂ）は、他方から見た建具の模式的斜視図。
【図２】図１（ａ），（ｂ）に示す換気構造を備えた建具を、屋内に取り付けた状態を示した模式的斜視図であり、（ａ）は、引戸を閉めた（建具で空間を仕切った）状態を示した図であり、（ｂ）は、引戸を開けた状態を示した図。
【図３】図１に示す換気構造の細部を説明するための模式図であり、（ａ）は、図１（ａ）のＡ−Ａ線矢視拡大端面図、（ｂ）は図１（ａ）のＢ部近傍の拡大図、（ｃ）は図１（ａ）のＣ部近傍の拡大図。
【図４】図１に示す換気構造の分解斜視図。
【図５】（ａ）は、本実施形態に係る空気の流れを示した図であり、（ｂ）は、流路長さと流路断面積との関係を示した図。
【図６】図３に示す本実施形態に係る第１の変形例を示した模式的端面図。
【図７】図３に示す本実施形態に係る第２の変形例を示した模式的端面図。
【図８】図３に示す本実施形態に係る第３の変形例を示した模式的端面図。
【図９】図３に示す本実施形態に係る第４の変形例を示した模式的端面図。
【図１０】図３に示す本実施形態に係る第５の変形例を示した模式的端面図。
【発明を実施するための形態】
【００２７】
以下に、図１〜１０を参照して、本発明の実施形態に係る換気構造を備えた建具を説明する。
【００２８】
図１は、本発明の実施形態に係る換気構造を説明するための図であり、（ａ）は、一方から見た建具の模式的斜視図であり、（ｂ）は、他方から見た建具の模式的斜視図である。図２は、図１（ａ），（ｂ）に示す換気構造を備えた建具を、屋内に取り付けた状態を示した模式的斜視図であり、（ａ）は、引戸を閉めた（建具で空間を仕切った）状態を示した図であり、（ｂ）は、引戸を開けた（半開）状態を示した図である。
【００２９】
図３は、図１に示す換気構造の細部を説明するための模式図であり、（ａ）は、図１（ａ）のＡ−Ａ線矢視拡大端面図、（ｂ）は図１（ａ）のＢ部近傍の拡大図、（ｃ）は図１（ａ）のＣ部近傍の拡大図である。図４は、図１に示す換気構造の分解斜視図であり、図５は、（ａ）は、本実施形態に係る空気の流れを示した図であり、（ｂ）は、流路長さと流路断面積との関係を示した図である。
【００３０】
図１および２に示すように、本実施形態に係る建具１は、たとえば、キッチンと廊下など、２つの空間Ｓ１，Ｓ２を仕切るものであり、建具１には、一方の空間Ｓ１と他方の空間Ｓ２を連通する換気用の貫通部２０が建具１の上下方向に沿って形成されている。
【００３１】
貫通部２０には、換気構造１０が設けられている。本実施形態では、建具として引戸を例示したが、２つの空間を仕切る機能を有するものであれば特にこれに限定されるものではない。ここで、本実施形態では、図３（ｂ）および（ｃ）に示すように、表面材３、３は、刳り貫き線（破線）に沿って刳り貫かれており、建具１の両面に配置された表面材３，３の間に、表面材の貫通口を周回するように芯材４を配置することにより、貫通部２０が形成されている。
【００３２】
換気構造１０は、貫通部２０に換気用通路３０を形成するとともに、一方の空間Ｓ１と他方の空間Ｓ２とを貫通部２０を介して直接視認できないように遮蔽するための第１および第２の換気用部材１１Ａ，１１Ｂで構成された一対の換気用部材が取り付けられている。本実施形態では、第１および第２の換気用部材１１Ａ，１１Ｂは、同一形状である。第１および第２の換気用部材１１Ａ，１１Ｂを同じ形状とするので、安価に換気構造を製造することができる。また、後述するこれらに形成された羽板部を対向させるように、一方の換気用部材に対して他方の換気用部材を反転させることにより、建具の貫通口に容易に取り付けることができる。
【００３３】
第１の換気用部材１１Ａは、貫通部２０を構成する上下方向に沿って形成された対向する一対の側壁部２０ａ，２０ｂのうち、一方の側壁部２０ａに、打ち込み用溝１５ａを利用してタッカーなどの固定材（図示せず）により取り付けられている。打ち込み用溝１５ａは、一方の側壁部２０ａを覆う基部１２ａの上下方向に沿って形成されており、第１の換気用部材１１Ａを固定することができるのであれば、その形状および個数は限定されるものではない。
【００３４】
さらに、第１の換気用部材１１Ａは、一方の側壁部２０ａから他方の側壁部２０ｂに向かって突出した第１の羽板部１３ａが形成されており、第１の羽板部１３ａは、上述したように、基部１２ａを介して一方の側壁部２０ａに支持されている。
【００３５】
第２の換気用部材１１Ｂは、他方の側壁部２０ｂに、第１の換気用部材１１Ａと同様に基部１２ｂに形成された打ち込み用溝１５ｂを利用してタッカー（図示せず）により取り付けられている。第２の換気用部材１１Ｂには、第１の羽板部１３ａとの間に換気用通路３０が形成されるように、他方の側壁部２０ｂから一方の側壁部２０ａに向かって突出した第２の羽板部１３ｂが形成されており、第２の羽板部１３ｂも、上述したように基部１２ｂを介して他方の側壁部２０ｂに支持されている。
【００３６】
ここで、第１の羽板部１３ａおよび第２の羽板部１３ｂは、貫通部２０の開口２１ａに対して傾斜している。より具体的には、本実施形態の場合には、第１の羽板部１３ａは、貫通部２０の開口２１ｂから流入した空気が、第１の羽板部１３ａの表面（開口２１ｂに面した表面）と他方の側壁部２０ｂとに沿って流れ、さらに先端部１４ａと貫通部２０の他方の側壁部２０ｂとの間に案内されるように傾斜している。また、第２の羽板部１３ｂは、貫通部２０の開口２１ａから流入した空気が、第２の羽板部１３ｂの表面（開口２１ａに面した表面）と一方の側壁部の表面とに沿って流れ、さらに先端部１４ｂと貫通部２０の一方の側壁部２０ａとの間に案内されるように傾斜している。
【００３７】
また、第１の換気用部材１１Ａの上述した基部１２ａは、貫通部２０の開口縁２１ａ，２２ｂにおいて一方の側壁部２０ａに沿って（建具１の厚さ方向に沿って）形成されており、さらに基部１２ａの両端には建具１の表面に沿って鍔状の縁部１７ａ、１７ｂが形成されている。同様に、第２の換気用部材１１Ｂの基部１２ｂは、貫通部２０の開口縁間２２ａ，２１ｂにおいて他方側の側壁部２０ｂに沿って（建具１の厚さ方向に沿って）形成されており、さらに建具１の表面に沿って鍔状の縁部１７ｃ、１７ｄが形成されている。
【００３８】
このように第１及び第２の換気用部材１１Ａ，１１Ｂに形成された一対の縁部は、貫通部２０を成形時に、表面材３、３に形成された加工端部（バリ）を隠すことができるとともに、これらの部材の位置決めをすることができる。
【００３９】
第１の羽板部１３ａは、基部１２ａと縁部１７ａが形成された境界部からから延在しており、縁部１７ａの表面に連続して形成されている。また、第２の羽板部１３ｂも同様に、基部１２ｂと縁部１７ｃが形成された境界部からから延在しており、縁部１７ｃの表面から連続して形成されている。
【００４０】
第１の羽板部１３ａの先端部１４ａと他方の側壁部２０ｂとの距離Ｄ１は、第１の羽板部１３ａと第２の羽板部１３ｂとが対向する面同士の距離Ｄ２よりも小さく（Ｄ１＜Ｄ２）、さらに、第２の羽板部１３ｂの先端部１４ｂと一方の側壁部２０ａとの距離Ｄ３は、第１の羽板部１３ａと第２の羽板部１３ｂとが対向する面同士の距離Ｄ２よりも小さくなっている（Ｄ３＜Ｄ２）。
【００４１】
さらに、図３（ｂ）および（ｃ）に示すように、第１および第２の換気用部材１１Ａ，１１Ｂの両側には、上部エンドプレート１８Ａおよび下部エンドプレート１８Ｂが取り付けられている。図４に示すように、上部エンドプレート１８Ａの下面には、第１および第２の換気用部材１１Ａ，１１Ｂの上端部に係合する係合凹部１８ａ，１８ｂが形成されている。係合凹部１８ａは、第１の換気用部材１１Ａの第１の羽板部１３ａの上端部を収容し、さらに、基部１２ａおよび縁部１７ａ，１７ｂの上端部が位置決めされるように形成されている。同様に、係合凹部１８ｂは、第２の換気用部材１１Ｂの第２の羽板部１３ｂの上端部を収容し、さらに、基部１２ｂおよび縁部１７ｃ，１７ｄの上端部が位置決めされるように形成されている。上部エンドプレート１８Ａの上面には、貫通部２０の一対の開口縁２２ａ，２２ｂに係合するための鍔部１９ａ，１９ｂが形成されており、これらが、貫通部２０の上部において、貫通部２０に対する上部エンドプレート１８Ａの位置決め部として機能する。
【００４２】
同様に、下部エンドプレート１８Ｂの上面には、第１および第２の換気用部材１１Ａ，１１Ｂの上端部に係合する係合凹部１８ｃ，１８ｄが形成されている。係合凹部１８ｃは、第１の換気用部材１１Ａの第１の羽板部１３ａの下端部を収容し、さらに、基部１２ａおよび縁部１７ａ，１７ｂの下端部が位置決めされるように形成されている。同様に係合凹部１８ｄは、第２の換気用部材１１Ｂの第２の羽板部１３ｂの下端部を収容し、さらに、基部１２ｂおよび縁部１７ｃ，１７ｄの下端部が位置決めされるように形成されている。下部エンドプレート１８Ｂの下面には、貫通部２０の一対の開口縁２２ａ，２２ｂに係合するための鍔部１９ｃ，１９ｄが形成されており、これらが、貫通部２０の下部において、貫通部２０に対する下部エンドプレート１８Ｂの位置決め部として機能する。
【００４３】
第１および第２の換気用部材１１Ａ，１１Ｂを貫通部２０に取り付ける際には、まず下部エンドプレート１８Ｂを貫通部２０の底部に位置決めする。次に、第１および第２の換気用部材１１Ａ，１１Ｂの上端部を上部エンドプレート１８Ｂに係合させた状態で、これらの下端部を下部エンドプレート１８Ｂに係合させる。その後、貫通部２０に取り付けた後、上述したタッカーなどの固定材で第１および第２の換気用部材１１Ａ，１１Ｂを固定する。また、別の取り付け方法として、下部および下部エンドプレート１８Ａ，１８Ｂを貫通部２０に接着剤などで取り付けたのち、第１および第２の換気用部材１１Ａ，１１Ｂをそれぞれの係合凹部に嵌め込んでもよい。
【００４４】
ここで、第１および第２の換気用部材１１Ａ，１１Ｂは、たとえば押し出し成形により製造することができ、上部および下部エンドプレート１８Ａ，１８Ｂは、インジェクション成形により製造することができる。また、本実施形態の場合には、換気構造に採光性の機能を持たせているので、これらの部材は、光透過性を有する材料からなる。このような材料としては、アクリル、ポリプロピレン、ポリエチレンなどの高分子樹脂、ガラスなどを挙げることができる。また、これらの部材は、無色透明または白色に着色した半透明状としてもよく、無色透明の材料の表面をサンドブラストなどにより表面を粗らくして半透明状としてもよい。
【００４５】
さらに、第１および第２の換気用部材１１Ａ，１１Ｂと側壁部２０ａ，２０ｂとが接する部分には、側壁部２０ａ，２０ｂの表面を覆うようにＪＩＳ慣用色で規定されるラベンダー、モーブ、ライラック、オーキッド、またはこれらの順の各慣用色同士の中間色、さらには、ホワイト、スノーホワイト、アイボリー、スカイグレイ、パールグレイ、シルバーグレイ、アッシュグレイまたはこれらの順の各慣用色同士の中間色からなる被覆材１６が配置されている。なお、これらの順の各慣用色同士の中間色とは、たとえば、ラベンダーとモーブの間の中間色、モーブとライラックとの間の中間色…、ホワイトとスノーホワイトとの間の中間色、スノーホワイトとアイボリーとの間の中間色…など、上述した順に並ぶ２色の色を混ぜ合わせたときに得られる色をいう。なお、側壁部２０ａ，２０ｂの表面を上述した色で覆うことができるのであれば、被覆材１６は、第１および第２の換気用部材１１Ａ，１１Ｂと一体成型されていてもよい。
【００４６】
このような換気構造１０によれば、図５（ａ）に示すように、貫通部２０に配置された第１および第２の換気用部材１１Ａ，１１Ｂにより、換気用通路３０が形成されるので、建具１により仕切られた空間Ｓ１，Ｓ２を換気することができる。具体的には、建具１で仕切られた一方の空間Ｓ１の空気を、貫通部２０の一方の空間Ｓ１に面した開口２１ａから流入させ、第１および第２の換気用部材１１Ａ，１１Ｂとの間に形成された換気用通路３０を通過させ、貫通部２０の他方の空間Ｓ２に面した開口２１ｂから流出させることができる。また、他方の空間Ｓ２から一方の空間Ｓ１への換気（空気の流れ）も同様である。
【００４７】
さらに、第１および第２の換気用部材１１Ａ，１１Ｂのそれぞれに形成された第１および第２の羽板部１３ａ、１３ｂは、貫通部２０を形成する各側壁部２０ａ，２０ｂに沿って支持（拘束）されているので、たとえ第１および第２の羽板部１３ａ，１３ｂの中央に外部から荷重が作用しても、これらの羽板部１３ａ，１３ｂの変形を抑制することができる。さらに、第１および第２の換気用部材１１Ａ，１１Ｂが温度変化により長手方向（側壁部が形成された方向）に沿って膨張したとしても、第１および第２の羽板部１３ａ，１３ｂは上述したごとく支持（拘束）されているので、このような場合であっても、これらの羽板部１３ａ，１３ｂの変形を抑制することができる。このような結果、第１および第２の換気用部材１１Ａ，１１Ｂの変形を抑制することにより、建具により仕切られた空間の換気を安定して行うことができる。また、上下のエンドプレート１８Ａ，１８Ｂと、第１および第２の羽板部１３ａ，１３ｂとの間に間隙を設けて、これらの伸びを逃がすこともできる。
【００４８】
さらに、第１および第２の換気用部材１１Ａ，１１Ｂの２つの部材のみで換気用通路３０を形成するので、上述したごとくその構造は単純なものとなり、たとえ換気用通路３０に流入した塵や埃などが、第１および第２の換気用部材１１Ａ，１１Ｂに付着しても、貫通部２０の開口２１ａ，２１ｂから第１および第２の羽板部１３ａ，１３ｂの長手方向に沿って、清掃用ブラシまたは掃除機のノズルなどを移動させれば、これらに付着した塵や埃などを容易に拭き取る（取り除く）ことができる。
【００４９】
さらに、第１および第２の羽板部１３ａ，１３ｂが、貫通部２０の開口２１ａ，２１ｂに対して傾斜しているので、清掃用ブラシを開口２１ａ，２１ｂから導入しやすいばかりでなく、貫通部２０の一方の空間Ｓ１に面した開口２１ａから流入した空気を貫通部の内部に案内しやすく、さらに案内された空気２０ｃを他方の開口２１ｂから容易に流出することができ、またその逆の空気流れも同様の効果を期待することができる（図５（ａ）太線矢印参照）。
【００５０】
特に、本実施形態の場合には、開口２１ａ，２１ｂから流入した空気は、第１のおよび第２の羽板部１３ａ，１３ｂの開口に面した表面に沿って流れ、この流れた空気はその先端部１４ａ，１４ｂと貫通部２０の側壁部２０ａ，２０ｂとの間に案内されるので、貫通部２０の開口近傍に流入した空気が滞留することなく、第１および第２の羽板部１３ａ，１３ｂの間に形成された換気用通路３０に導かれる。さらに、塵や埃などが混在した空気が、貫通部２０の開口から流入したとしても、開口近傍に滞留することがないので、流入した塵および埃が開口近傍の第１および第２の換気用部材１１Ａ，１１Ｂの表面に付着することを抑制することができる。これにより、第１および第２の換気用部材１１Ａ，１１Ｂの清掃を軽減することができ、建具１の美観も維持することができる。
【００５１】
さらに、上述した距離関係Ｄ１＜Ｄ２，Ｄ３＜Ｄ２（図３参照）を満たすように第１および第２の羽板部１３ａ，１３ｂを設けたので、建具１で仕切られた一方の空間Ｓ１の空気が流れる換気用通路３０は、図５（ａ），（ｂ）に示すように、貫通部２０の一方の空間Ｓ１に面した開口（位置Ｆ）から空気を流入させ、第２の羽板部１３ｂの先端部１４ｂと一方の側壁部２０ａとの間（位置Ｇ）で一旦絞られ、その後、第１の羽板部１３ａと第２の羽板部１３ｂとの間で広がる（位置Ｈ）。そして、換気用通路３０は、第１の羽板部１３ａの先端部１４ａと一方の側壁部２０ｂとの間（位置Ｐ）で再度絞られ、その後、他方の空間に面した開口（位置Ｑ）に向かって広がる。これにより、第１および第２の羽板部１３ａ，１３ｂとの間で形成された換気用通路３０のうち位置Ｇと位置Ｐの間では一時的に流路断面が増加する。これにより、第１および第２の羽板部１３ａ，１３ｂの基端部近傍（位置Ｋ，Ｌ）に塵またはゴミが捕獲され易くなる。特に、第１または第２の羽板部１３ａ，１３ｂの基端部近傍に捕獲（付着）した塵またはゴミは貫通部２０の開口から第１または第２の羽板部１３ａ，１３ｂの長手方向に沿って、清掃用ブラシまたは掃除機のノズルなどを移動させれば、容易に拭き取ることができる。また、他方の空間Ｓ２から空気が流れた場合も同様である。
【００５２】
さらに、第１および第２の羽板部１３ａ，１３ｂは、基部１２ａ，１２ｂと縁部１７ａ，１７ｃが形成された境界部からから延在しているので、図５（ａ）の第１および第２の羽板部１３ａ，１３ｂに外力（細矢印方向）が作用したとしても、この外力により羽板部に作用するモーメントを、縁部１７ａ，１７ｃで受けることができる。これにより、上述した外力に対して、縁部１７ａ，１７ｃが第１及び第２の換気用部材１１Ａ，１１Ｂの補強部分として機能することができる。
【００５３】
さらに、第１および第２の換気用部材１１Ａ，１１Ｂが光透過性を有する材料となるため、建具で仕切られた一方の空間Ｓ１から貫通部２０の開口２１ａに入射された光が、第１および第２の換気用部材１１Ａ，１１Ｂを透過して、この透過した光を建具で仕切られた他方の空間Ｓ２で彩光することができる。また、他方の空間Ｓ２から一方の空間Ｓ１へ彩光することもできる。これにより、建具１に彩光用の窓を別途設けること必要がなく、換気機能と彩光機能の双方を両立させることができる。特に、建具１の貫通部２０の側壁部の表面が第１または第２の換気用部材１１Ａ，１１Ｂを介して目視することができるので、被覆材１６に上述した色を採用することにより、貫通部２０の側壁部２０ａ，２０ｂを目立たなくすることができる。これにより、換気構造１０の美観を高めることができる。
【００５４】
図６〜図１０は、図３に示す本実施形態に係る第１〜５の変形例を示した模式的端面図である。
【００５５】
図３に示す実施形態では、第１の羽板部１３ａ（第２の羽板部１３ｂ）は、貫通部２０の開口２１ｂ（開口２１ａ）から流入した空気が、第１の羽板部１３ａ（第２の羽板部１３ｂ）の先端部１４ａ（先端部１４ｂ）と貫通部２０の他方の側壁部２０ｂ（一方の側壁部２０ａ）との間に案内されるように傾斜していたが、図６に示すように、第１の羽板部１３ａ（第２の羽板部１３ｂ）の先端部１４ａ（先端部１４ｂ）が、開口２１ａ（開口２１ｂ）に向かって突出していてもよい。これにより、流路抵抗がより小さい換気用通路を形成することができる。
【００５６】
また、図３に示す実施形態では、第１の羽板部１３ａおよび第２の羽板部１３ｂは、開口２１ａ，２１ｂに対して傾斜していたが、図７に示すように、第１の羽板部１３ａおよび第２の羽板部１３ｂが、開口２１ａ，２１ｂに対して平行となるように形成されていてもよく、図８に示すように、第１の羽板部１３ａおよび第２の羽板部１３ｂの先端を、開口２１ａ，２１ｂに向かって建具１の外側に屈曲させてもよい。図８に示すように、屈曲させることにより、第１の羽板部１３ａおよび第２の羽板部１３ｂにより、建具１により仕切られた空間同士が直接的に視認できないように遮蔽しやすい構造となる。
【００５７】
さらに、図３に示す実施形態では、第１の羽板部１３ａおよび第２の羽板部１３ｂが、断面でほぼ直線状に開口２１ａ，２１ｂに対して傾斜していたが、図９に示すように、第１の羽板部１３ａおよび第２の羽板部１３ｂが、内部（内側）に湾曲するように開口２１ａ，２１ｂに対して傾斜していてもよい。このように、第１の羽板部１３ａおよび第２の羽板部１３ｂを内部（内側）に向かって湾曲させることにより、空気を換気用通路に導引き易い構造とすることができる。
【００５８】
さらに、図３に示す実施形態では、第１の羽板部１３ａおよび第２の羽板部１３ｂがそれぞれ、開口２１ａ，２１ｂに対して１つずつ設けられていたが、図１０に示すように、さらに、第１の羽板部１３ａと異なる傾斜角を持って、第３の羽板部１３ｃを形成し、第２の羽板部１３ｂと異なる傾斜角を持って、第４の羽板部１３ｄを形成してもよい。このように、さらなる羽板部１３ｃ，１３ｄを設けることにより、換気用通路の形状がより複雑なものとなり、その内部に塵や埃を捕獲しやすくなる。
【００５９】
以上、本発明の実施形態について詳述したが、本発明は、前記の実施形態に限定されるものではなく、特許請求の範囲に記載された本発明の精神を逸脱しない範囲で、種々の設計変更を行なうことができるものである。
【００６０】
たとえば、本実施形態では、第１および第２の換気用部材を同じ形状としたが、後述するような換気機能および彩光機能等を有するものであれば特にその形状は必ずしも同一でなくてもよい。
【符号の説明】
【００６１】
１：建具
３：表面材
４：芯材
１０：換気構造
１１Ａ：第１の換気用部材
１１Ｂ：第２の換気用部材
１３ａ：第１の羽板部
１３ｂ：第２の羽板部
１３ｃ：第３の羽板部
１３ｄ：第４の羽板部
１２ａ，１２ｂ：基部
１４ａ，１４ｂ：先端部
１５ａ，１５ｂ：打ち込み用溝
１６：被覆材
１７ａ，１７ｂ，１７ｃ，１７ｄ：縁部
１８Ａ：上部エンドプレート
１８Ｂ：下部エンドプレート
１８ａ，１８ｂ，１８ｃ，１８ｄ：係合凹部
１９ａ，１９ｂ，１９ｃ，１９ｄ：鍔部
２０：貫通部
２０ａ：一方の側壁部
２０ｂ：他方の側壁部
２１ａ，２１ｂ：開口
２２ａ，２２ｂ：開口縁
３０：換気用通路
Ｓ１：一方の空間
Ｓ２：他方の空間
【図１】
2014231709.tif 000003
【図２】
2014231709.tif 000004
【図３】
2014231709.tif 000005
【図４】
2014231709.tif 000006
【図５】
2014231709.tif 000007
【図６】
2014231709.tif 000008
【図７】
2014231709.tif 000009
【図８】
2014231709.tif 000010
【図９】
2014231709.tif 000011
【図１０】
2014231709.tif 000012